(57)【要約】【課題】　断熱材を用いて良好な温度環境を形成しながら、当該断熱材を通じて白蟻が侵入するのを未然に防止する構造の施工効率を高める。【解決手段】　断熱材２２の片側面にその上部を残して防蟻シート２４を固着するとともに、防蟻シート２４の上端部２４ｂと断熱材２２の上端部とを剥離可能な状態にした基礎断熱用断熱材を、基礎打設と同時に、防蟻シート２４が外側を向く状態で基礎１２の外側に配設し、この断熱材２２のうち基礎１２の上面１２ｃよりも上方に突出した部分を切除し、その切除によって形成された面上に防蟻シート２４の上端面を被せることを特徴とする防蟻機能をもつ基礎断熱構造の施工方法。【選択図】　　　図２
2004124705.tif 000002
【特許請求の範囲】
【請求項１】
　断熱材の片側面にその上部を残して防蟻シートを固着するとともに、当該防蟻シートの上部と断熱材上部とを剥離可能な状態にした基礎断熱用断熱材を、基礎打設と同時に、前記防蟻シートが外側を向く状態で当該基礎の外側に配設し、
　この断熱材のうち前記基礎の上面よりも上方に突出した部分を切除し、その切除した面上に前記防蟻シートの上端面を被せることを特徴とする防蟻機能をもつ基礎断熱構造の施工方法。
【請求項２】
　請求項１記載の基礎断熱構造の施工方法において、
　前記基礎断熱用断熱材は、前記防蟻シートの下端部を断熱材の下面よりも余らせ、この下端部を断熱材の下面を覆うように断熱材の裏側へ回り込ませたものである
　ことを特徴とする防蟻機能をもつ基礎断熱構造の施工方法。
【発明の詳細な説明】
【技術分野】
【０００１】
　　本発明は、防蟻機能をもつ基礎断熱構造及びその施工方法等に関するものである。
【背景技術】
【０００２】
　近年、住宅の断熱化、気密化が進むにつれ、床に断熱材を施工する床断熱工法に代え、基礎の内側や外側に断熱材を施工する基礎断熱工法の採用が活発化されている。
【０００３】
　その断熱構造の一例を図６に示す。同図において、地盤１０に基礎１２が打設されている。この基礎１２は、水平方向に延びる底部１２ａの中央から立直部１２ｂが立ち上がる逆Ｔ字状の断面形状を有し、前記底部１２ａと立直部１２ｂの下半部が土中に埋められている。そして、立直部１２ｂの上面１２ｃの上に土台１４が設置されるとともに、基礎１２の内側領域（図６では右側領域）に土間コンクリート１６が打設されている。
【０００４】
　ここで、通常の基礎構造では、前記立直部１２ｂの外側にラス１８を介してモルタル等からなる仕上壁２０が施工されるのであるが、図示の構造では、前記ラス１８と基礎立直部１２ｂの外側面との間に断熱材２２が介在しており、この断熱材２２の下面が基礎底部１２ａの上面に接触するとともに、断熱材２２の上面が立直部１２ｂの上面１２ｃと略同一の高さに位置している。
【発明の開示】
【発明が解決しようとする課題】
【０００５】
　住宅の敵である白蟻は、暗がりをその行動範囲としているため、基礎１２の外側に断熱材２２が存在しない場合には、当該基礎外側から土台１４側へ這い上がってくることはない。ところが、図示のように基礎外側に断熱材２２が施工されている場合、当該断熱材２２は、一般に、発泡ポリスチレン、発泡ポリエチレン、発泡ポリウレタン等の発泡樹脂からなるものであって、白蟻が容易に食い破ることができるものであるため、この断熱材２２をその土中埋設部分から白蟻が食い破っていくことにより、図６に示すように土台１４へ至る蟻道２３が形成されてしまうおそれがある。
【０００６】
　また、このように基礎外側に断熱材２２が施工される場合だけでなく、例えば基礎内側に土間コンクリート１６が打設されていない状態で当該基礎内側面に沿って断熱材２２が施工された場合にも、この断熱材２２が土中から食い破られて蟻道が形成されるおそれがある。
【０００７】
　このため従来は、図示の基礎断熱工法を採用するか否かにつき、建設地周辺における白蟻の生息状況や被害状況などを十分勘案の上決定することが求められており、その採用が著しく制約されているのが現状である。
【０００８】
　本発明は、このような事情に鑑み、断熱材を用いて良好な温度環境を形成しながら、当該断熱材を通じて白蟻が侵入するのを未然に防止することができる防蟻機能をもつ基礎断熱構造を施工する方法を提供することを目的とする。
【課題を解決するための手段】
【０００９】
　本発明は、断熱材の片側面にその上部を残して防蟻シートを固着するとともに、当該防蟻シートの上部と断熱材上部とを剥離可能な状態にした基礎断熱用断熱材を、基礎打設と同時に、前記防蟻シートが外側を向く状態で当該基礎の外側に配設し、この断熱材のうち前記基礎の上面よりも上方に突出した部分を切除し、その切除した面上に前記防蟻シートの上端面を被せる方法である。
【００１０】
　本発明の方法を採ることにより、基礎の側方（すなわち基礎の外側、内側の少なくとも一方）に断熱材を配設し、この断熱材の外側面と上端部とを防蟻シートで覆った構造を施工することが可能となる。
【００１１】
　この構造によれば、基礎の外側に断熱材を配設することによって良好な温度環境を形成することができるとともに、前記断熱材の外側面と上端部とを前記防蟻シートで覆うことにより、土中を徘徊する白蟻が断熱材を食い破るのを阻止することができ、この断熱材を通じて建屋側へ白蟻が侵入するのを未然に防止することができる。
【００１２】
　したがって、本発明の方法を採ることにより、良好な温度環境を形成しながら当該断熱材を通じて建屋側へ白蟻が侵入するのを未然に防止することができる基礎断熱構造を施工することが可能となる。
【００１３】
　また本発明の方法は、断熱材の片側面にその上部を残して防蟻シートを固着した基礎断熱用断熱材を用いているので、前記基礎の打設と同時に前記防蟻シートが外側を向く状態で前記基礎断熱用断熱材を前記基礎の外側に配設するだけで良好な防蟻機能付基礎断熱構造を構築することが出来る。すなわち、予め基礎の打設を完了させてから断熱材を配設する方法よりも施工能率を高めることが可能となる。
【００１４】
　しかも、前記基礎断熱用断熱材は、当該防蟻シートの上部と断熱材上部とが剥離可能な状態に構成されており、この断熱材が前記基礎の外側に配設された状態で、前記断熱材のうち前記基礎の上面よりも上方に突出した部分を切除し、その切除した面上に前記防蟻シートの上端面を被せる方法を採っているため、防蟻効果をさらに高めることが可能となる。
【００１５】
　また、本発明の方法に使用する前記基礎断熱用断熱材は、前記防蟻シートの下端部を断熱材の下面よりも余らせ、この下端部を断熱材の下面を覆うように断熱材の裏側へ回り込ませたものにするのが、より確実な防蟻効果を得る点では好ましい。
【発明の効果】
【００１６】
　以上のように本発明の方法を採ると、基礎の側方に断熱材を配設し、この断熱材の外側面と上端部とを防蟻シートで覆った構造を施工することが可能になるため、良好な温度環境を形成しながら当該断熱材を通じて白蟻が侵入するのを未然に防止することができる基礎断熱構造を施工することが可能となる。
【００１７】
　さらに、前記基礎の打設と同時に前記防蟻シートが外側を向く状態で前記基礎断熱用断熱材を当該基礎の外側に配設するだけで良好な防蟻機能付基礎断熱構造を構築することが出来るため、施工効率を高めることが可能となる。
【００１８】
　しかも、前記断熱材の切除した面上に前記防蟻シートの上端面を被せるので、防蟻効果をさらに高めることが可能となる。
【発明を実施するための最良の形態】
【００１９】
　本発明の実施の形態を図面に基づいて説明する。なお、以下の実施の形態において、防蟻処理に関する部分以外の構造は基本的に前記図６に示したものと同等であり、同一の要素には同一の参照符を付してその説明を省略する。
【００２０】
　１）第１の実施の形態（図１、図２（ａ）、図２（ｂ））
　この実施の形態では、図１に示される構造が施される。この構造では、前記図６に示した構造における断熱材２２とラス１８との間に防蟻シート２４が配設されている。すなわち、断熱材２２の外側に防蟻シート２４が配設され、この防蟻シート２４の上にラス１８及び仕上壁２０が施工されている。
【００２１】
　この防蟻シート２４は、断熱材２２の外側面全域を覆うように配され、その下端部２４ａ及び上端部２４ｂが断熱材２２の下面及び上面よりもそれぞれはみ出している。そして、前記下端部２４ａが防蟻薬剤を含有する接着剤２６によって基礎底部１２ａの上面に固着されるとともに、上端部２４ｂが断熱材２２の上面に外側から被せられている。そして、この防蟻シート上端部２４ｂ及び基礎上面１２ｃに跨るようにしてこれらの上に防蟻テープ２８が貼り付けられることにより、前記断熱材２２の上面に防蟻シート上端部２４ｂが固定されており、前記防蟻テープ２８の上に土台１４が設置されている。
【００２２】
　前記防蟻シート２４としては、ポリプロピレンやポリエチレンやエチレンビニルアセテート等の防湿性を有する合成樹脂製シートに、ピレスロイド系殺虫剤（シラフルオフェン、エトフェンプロックス、ビフェントリン等）や有機リン系殺虫剤をはじめとする種々の殺虫剤から有効なものを選択して混入したものが好適である。ただし、本発明では防蟻材に含有される防蟻成分の具体的な種類を問わず、また母材も、例えば不織布のように防湿性を有しないものであってもよい。防蟻テープ２８の含有成分についても同様である。
【００２３】
　接着剤２６の具体的な成分も問わないが、例えば、アスファルトもしくは適当なエマルジョン（アクリル系やウレタン系等の合成樹脂のエマルジョンまたはＳＢＲをはじめとする合成ゴムのエマルジョン）中に前述の殺虫剤を混入させたもの等が好適である。この接着剤２６については適宜省略が可能である。
【００２４】
　次に、前記構造を施工するための方法につき、説明する。
【００２５】
　まず、図２（ａ）に示すように、予め断熱材２２の片側面に防蟻シート２４を固着させて防蟻機能付の断熱材（基礎断熱用断熱材に相当）を構成する。ただし、防蟻シート２４の上端部は、断熱材２２の上端部に固着されておらず、両者は剥離可能な状態とする。また、防蟻シート２４の下端部２４ａは断熱材２２の下端よりも余らせており、この下端部２４ａが断熱材２２の下面を覆うように裏側へ回り込ませた状態で当該下端部２４ａが断熱材２２に固着されている状態とする。
【００２６】
　そして、基礎１２の打設と同時に断熱材２２を配設し、図２（ｂ）に示すように、基礎１２の上面１２ｃから突出した断熱材部分（すなわち断熱材上端部）を切除して基礎１２の上面１２ｃと高さを揃えた後、その切除によって形成された断熱材上面の上に防蟻シート上端部２４ｂを被せることにより、前記構造を施工する。
【００２７】
　この構造によれば、断熱材２２（特に土中埋設部分）が防蟻シート２４によって外側から覆われているため、断熱材２２が基礎１２の外側に施工されていても食い破られるおそれがない。従って、この断熱材２２を蟻道にして白蟻が土台１４側へ這い上がってくるのを未然に防止することができる。
【００２８】
　また、断熱材２２の上端面も防蟻シート２４及び防蟻テープ２８で覆われた状態となっており、また、防蟻シート２４の下端部２４ａが防蟻成分を含む接着剤２６で基礎底部１２ａに固着されているので、断熱材２２の保護をより強化することができる。
【００２９】
　さらに、この施工方法によれば、基礎１２の打設と同時にその外側に断熱材２２を配するだけで、良好な防蟻機能付基礎断熱構造を構築することができる。すなわち、基礎１２の打設と同時に断熱材２２を配設するようにしているので、基礎１２の打設が完了した後に断熱材２２を配設した場合と比較して、施工能率を高めることができる。
【００３０】
　しかも、基礎１２の上面１２ｃから突出した断熱材部分を切除して基礎１２の上面１２ｃと高さを揃えた後、その切除によって形成された断熱材上面の上に防蟻シート上端部２４ｂを被せているため、防蟻効果をさらに高めることができる。
【００３１】
　なお、前記断熱材２２の下端面は必ずしも基礎底部１２ａの上面に接触していなくてもよく、基礎底部１２ａから断熱材２２が浮いた状態、あるいは両者間に断熱材とは別のスペーサを介在させた状態で断熱材２２を施工してもよい。
【００３２】
　また、この方法において、防蟻シート下端部２４ａは、必ずしも断熱材２２の下端部に回り込ませる必要はない。ただし、このように回り込ませておけば、より確実な防蟻効果が得られ、例えば断熱材２２の下面が基礎底部１２ａの上面から離れていても、当該下面から白蟻が断熱材２２を食い破ることを未然に防ぐことができる。
【００３３】
　２）第２の実施の形態（図３）
　この実施の形態では、前記第１の実施の形態で示した防蟻テープ２８に代えて、前記第１の実施の形態で示したパッキン３０が基礎上面１２ｃと土台１４との間に介在している。当該パッキン３０からは、基礎１２の外側にカバー部３０ａが延長されており、当該カバー部３０ａが防蟻シート２４の上端部２４ａ及び断熱材２２の上端面を覆うようにパッキン３０が配設されるとともに、前記カバー部３０ａに防蟻処理が施されている。
【００３４】
　このカバー３０ａに防蟻処理を施す手段としては、図示のようにカバー部３０ａの上面に防蟻テープ３４を貼り付けるようにしてもよいし、カバー部３０ａも含めたパッキン３０全体を一体成形する際に少なくともカバー部３０ａ（より好ましくはパッキン全体）に防蟻剤を含侵させるようにしてもよい。後者の場合には、パッキン３０の製造のための工数が減り、量産性もさらに高まる。
【００３５】
　以上の構造によれば、パッキン３０の使用によって床下の気密性を高めながら、かかるパッキン３０を有効に利用して防蟻効果を高めることができる。
【００３６】
　３）その他の実施の形態
　・　前記実施形態では、防蟻シート２４を用いて断熱材２２の防蟻処理を行うものを示したが、断熱材２２を防蟻剤が混入された発泡合成樹脂板（防蟻剤の材質は防蟻シート２８と同じでよい。）で構成することによっても、当該断熱材２２を白蟻から保護することができる。また、かかる防蟻剤含有断熱材と防蟻シートとの併用によって、防蟻効果はさらに高まる。
【００３７】
　・　本発明では基礎１２の具体的な種類を問わず、布基礎、べた基礎等にかかわらず、その側方に断熱材を施工する場合に広く本発明を適用することが可能である。また、基礎１２の具体的な断面形状も図示のような逆Ｔ字状に限らず、外側に断熱材を施工できる形状であればよい。
【００３８】
　例えば、第３の実施の形態として図４に示すように、基礎１２として、土間コンクリート１６を基礎底部１２ａ′として一体化させたべた基礎を打設する場合、一般には、基礎１２の外側へ基礎底部が突出しないことになるが、この場合には、図示のように防蟻シート２４の下端部２４ａを断熱材２２の裏側に回り込ませるようにして当該防蟻シート下端部２４ａによって断熱材２２の下端面を覆うようにすればよい。
【００３９】
　・　前記各実施形態では、基礎１２の外側に断熱材２２を施工する場合を示したが、本発明はこれに限られない。例えば基礎１２の内外両側に断熱材２２を施工するものや、基礎１２の内側にのみ断熱材２２を施工するものにおいても、基礎内側に前記土間コンクリート１６を施工しない場合には、基礎内側の断熱材２２が食い破られて蟻道が形成されるおそれがあるので、かかる場合にも本発明を有効に適用し得る。その例として図５に示す第４の実施の形態は、基礎１２の内外両外側に断熱材２２を施工する場合において、内外断熱材２２をそれぞれ防蟻シート２４で覆い、両防蟻シート２４の上端部を共通の防蟻テープ２８によって基礎上面１２ｃに固定したものである。
【図面の簡単な説明】
【００４０】
【図１】本発明の第１の実施の形態にかかる基礎断熱構造を示す断面斜視図である。
【図２】（ａ）は本発明の第１の実施の形態にかかる基礎断熱用断熱材の断面斜視図、（ｂ）は同断熱材を施工している状態を示す断面図である。
【図３】本発明の第２の実施の形態にかかる基礎断熱構造を示す断面斜視図である。
【図４】本発明の第３の実施の形態にかかる基礎断熱構造を示す断面斜視図である。
【図５】本発明の第４の実施の形態にかかる基礎断熱構造を示す断面図である。
【図６】従来の基礎断熱構造の一例を示す断面斜視図である。
【符号の説明】
【００４１】
　１０　地盤
　１２　基礎
　１４　土台
　２２　断熱材
　２４　防蟻シート
　２５　防蟻板
　２６　防蟻機能付接着剤
　２８　防蟻テープ
　３０　パッキン
　３０ａ　カバー部
【図１】
2004124705.tif 000003
【図２】
2004124705.tif 000004
【図３】
2004124705.tif 000005
【図４】
2004124705.tif 000006
【図５】
2004124705.tif 000007
【図６】
2004124705.tif 000008